(57)【特許請求の範囲】
【請求項１】
試料の点着されたセンサが装着され、該試料の測定を行う測定装置であって、
前記測定装置は、装着された前記センサと接触する複数の電極端子を有するコネクタと、
前記センサを前記測定装置から排出する排出機構と、を備え、
前記排出機構は、
前記測定装置に対してスライド可能に配設されたスライド部材と、
前記スライド部材と応動し、前記センサの一端に当接して該センサを押出する押出部材と、を有し、
前記押出部材は、前記コネクタ内において前記複数の電極端子の間の隙間をスライドして、前記電極端子に触れることなく前記センサを押出するものである、
ことを特徴とする測定装置。
【請求項２】
請求項１に記載の測定装置において、
前記押出部材は、前記センサの前記一端の中央部に当接して該センサを押出する、
ことを特徴とする測定装置。
【請求項３】
請求項１に記載の測定装置において、
前記複数の電極端子は、前記押出部材の前記スライドの軌跡を対称軸として線対称に配置されている、
ことを特徴とする測定装置。
【請求項４】
請求項１に記載の測定装置において、
前記複数の電極端子は、前記センサが押出される方向に伸びる中心線を対称軸として線対称に配置されている、
ことを特徴とする測定装置。
【請求項５】
請求項１ないし４のいずれかに記載の測定装置において、
前記スライド部材、または前記押出部材を、前記排出機構による前記センサの排出の向きと逆向きに付勢する付勢部材をさらに備えた、
ことを特徴とする測定装置。
【発明の詳細な説明】
【０００１】
【発明の属する技術分野】
本発明は測定装置に関し、特に体液等の試料を測定する測定装置に関する。
【０００２】
【従来の技術】
従来より、体液の特性を簡易に分析するための測定装置として、電気化学的に血糖値を測定する測定装置及びセンサが実用化されている。
【０００３】
図４は、血液を採取する細長い小片状のセンサ１が測定装置２０にセットされた状態を示す図である。
図４で示されるセンサ１は、該センサ１の先端に、血液を採取するキャビティ（図示せず）を備えている。該キャビティ内には、酵素や電子伝達体等を含む試薬層と、電極とを備えている。
【０００４】
測定装置２０は、血液中のグルコースと試薬層との反応により生じる、血液中のグルコース濃度に応じた電流値を、センサ１の電極に電圧を印加することにより測定する電気回路を内部に備えており、その測定した電流値に基づいて血糖値を算出し、その血糖値をディスプレイ３０に表示する。
【０００５】
測定が終了すると、指でセンサ１を測定装置２０から取り出して、該センサ１の廃棄処理を行う。
このようにして、測定装置２０による血糖値の測定が行なわれる。
【０００６】
【発明が解決しようとする課題】
従来の測定装置２０による測定においては、患者はまず、測定装置２０のコネクタ４０にセンサ１を挿入し、次にランセットデバイスといわれる皮膚を突き刺して体液を得るための穿刺操作を行い、その体液をセンサ１に点着して測定を行う。そして、測定完了後に、体液の付着したセンサ１を指で抜去し、新しいセンサ１を挿入して、再度測定を行う。
【０００７】
このように、患者や患者の付添人、あるいは病院関係者等は、測定を行うたびに、指でセンサの挿抜を行わなければならず、面倒であり、また、体液の付着したセンサに触れることにより、感染症になる恐れがあるという問題があった。
【０００８】
本発明は上記の問題点を解決するためになされたものであり、体液等の試料の点着されたセンサを指で触ることなく測定装置から排出可能な測定装置を提供することを目的とする。
【０００９】
【課題を解決するための手段】
上記目的を達成するため、本発明（請求項１）による測定装置は、試料の点着されたセンサが装着され、該試料の測定を行う測定装置であって、前記測定装置が、装着された前記センサと接触する複数の電極端子を有するコネクタと、前記センサを前記測定装置から排出する排出機構と、を備え、前記排出機構が、前記測定装置に対してスライド可能に配設されたスライド部材と、前記スライド部材と応動し、前記センサの一端に当接して該センサを押出する押出部材と、を有し、前記押出部材が、前記コネクタ内において前記複数の電極端子の間の隙間をスライドして、前記電極端子に触れることなく前記センサを押出するものである。
【００１０】
また、本発明（請求項２）による測定装置は、請求項１に記載の測定装置において、前記押出部材が、前記センサの前記一端の中央部に当接して該センサを押出するものである。
【００１１】
また、本発明（請求項３）による測定装置は、請求項１に記載の測定装置において、前記複数の電極端子が、前記押出部材の前記スライドの軌跡を対称軸として線対称に配置されているものである。
また、本発明（請求項４）による測定装置は、請求項１に記載の測定装置において、前記複数の電極端子が、前記センサが押出される方向に伸びる中心線を対称軸として線対称に配置されているものである。
【００１２】
また、本発明（請求項５）による測定装置は、請求項１ないし４のいずれかに記載の測定装置において、前記スライド部材、または前記押出部材を、前記排出機構による前記センサの排出の向きと逆向きに付勢する付勢部材をさらに備えたものである。
【００１３】
【発明の実施の形態】
以下、本発明の実施の形態について説明する。
（実施の形態１）
図１は、本発明の実施の形態１による測定装置を示す分解斜視図（ａ）、及び組立断面図（ｂ）である。
図１（ａ）において、１は細長い小片状のセンサであり、１０はセンサ１に点着された体液等の試料を測定する測定装置である。
【００１４】
測定装置１０において、測定装置本体２のボス２ａとスライドレバー５のボス５ａが嵌合しており、スライドツマミ６の爪６ａ（３ヶ所）は、測定装置本体２の長孔２ｂに通されて、スライドレバー５の角孔部５ｂと嵌合している。そのスライドツマミ６は、測定装置本体２に対してスライド可能である。
【００１５】
また、基板７はコネクタ４を有しており、基板７の切り欠き７ａ及びコネクタ４の切り欠き４ａに、スライドレバー５のセンサ排出用の突起部５ｃが通されるように基板７と測定装置本体２とが組み合わされ、基板７が測定装置本体２に対してネジ等で締め付けられている。その突起部５ｃは、切り欠き７ａの長手方向にスライド可能な状態となっている。
【００１６】
スライドレバー５の角孔部５ｂとスライドツマミ６の爪６ａとが嵌合しているため、スライドレバー５は、スライドツマミ６に応動してスライドする。
【００１７】
図１（ｂ）は、図１（ａ）に示すスライドツマミ６、測定装置本体２、スライドレバー５、及び基板７を組み合わせた状態の測定装置１０の断面図である。
図１（ｂ）を用いて、センサ１の排出動作について説明する。
【００１８】
センサ１が測定装置１０に装着され、体液等の測定が行われた後に、センサ１を排出するには、まず、指でスライドツマミ６を図１（ｂ）の矢印の方向にスライドさせる。すると、スライドレバー５がスライドツマミ６に応動して同じく矢印の方向にスライドし、スライドレバー５の突起部５ｃが、センサ１をコネクタ４から押し出して、センサ１が測定装置本体２から排出される。
【００１９】
ここで、スライドレバー５は樹脂バネ５ｄを備えているため、スライドツマミ６をスライドさせてセンサ１を排出するときには、該樹脂バネ５ｄにより、スライドレバー５をセンサ１の排出の向きと逆向きに付勢する力が作用する。
【００２０】
このように、本実施の形態１による測定装置１０によれば、測定装置本体２に対してスライド可能に配設されたスライドツマミ６と、スライドツマミ６と応動し、センサ１を押出するスライドレバー５とからなる排出機構を備えたことで、指でセンサ１を測定装置本体２から抜去することなくセンサ１を排出できるため、センサ１に直接触らなくてもセンサ１を廃棄することができる。つまり、センサ１に付着した血液等の体液に触ることなくセンサ１の廃棄を行うことができ、病気などの感染を防止することができる。また、スライドツマミ６をスライドすることでセンサ１を排出できるので、容易にセンサ１を排出することができる。
【００２１】
さらに、スライドレバー５が樹脂バネ５ｄを有するため、センサ１の排出時に、スライドレバー５を、センサ１の排出の向きと逆向きに付勢することとなり、センサ１の排出を手動で慎重にコントロールすることができ、センサ１が勢いよく飛び出すことを防止することができ、センサ１に点着された血液等の体液が不用意なところに付着することを防止することができる。また、センサ１の排出後、スライドレバー５が樹脂バネ５ｄにより元の位置に戻されるため、測定装置１０の操作が容易となる効果も得られる。
【００２２】
（実施の形態２）
図２は、本発明の実施の形態２による測定装置を示す分解斜視図（ａ）及び組立断面図（ｂ）である。
本実施の形態２による測定装置は、センサ１を押出する押出部材として、実施の形態１によるスライドレバー５に代えて、スライダーを備えたものである。
図２（ａ）において、１は細長い小片状のセンサであり、１０はセンサ１に点着された体液等の試料を測定する測定装置である。
【００２３】
測定装置１０において、スライドツマミ６の爪６ａ（２ヶ所）が測定装置本体２の長孔２ｂに挿入されることにより、スライドツマミ６は、測定装置本体２に対してスライド可能に配設されている。そのスライドツマミ６は、樹脂バネ６ｄを備えている。
【００２４】
また、基板７はコネクタ４を備えており、測定装置本体２とネジ等で締め付けられている。コネクタ４はスライダー４ｂを有している。そのスライダー４ｂは、基板７の切り欠き７ａ及びコネクタ４の切り欠き４ａを通してスライドツマミ６のスライダー嵌合部６ｃと嵌合している。したがって、スライダー４ｂは、スライドツマミ６と応動して切り欠き７ａの長手方向にスライド可能な状態となっている。
【００２５】
図２（ｂ）は、図２（ａ）に示すスライドツマミ６、測定装置本体２、及び基板７を組み合わせた状態の測定装置１０の断面図である。
図２（ｂ）を用いて、センサ１の排出動作について説明する。
【００２６】
センサ１が測定装置１０に装着され、体液等の測定が行われた後に、センサ１を排出するには、まず、指でスライドツマミ６を図２（ｂ）の矢印の方向にスライドさせる。すると、スライダー４ｂがスライドツマミ６に応動して同じく矢印の方向にスライドし、スライダー４ｂがセンサ１をコネクタ４から押し出して、センサ１が測定装置本体２から排出される。
【００２７】
ここで、スライドツマミ６は樹脂バネ６ｄを備えているため、スライドツマミ６をスライドさせてセンサ１を排出するときには、該樹脂バネ６ｄにより、スライドツマミ６をセンサ１の排出の向きと逆向きに付勢する力が作用する。
【００２８】
このように、本実施の形態２による測定装置１０によれば、測定装置本体２に対してスライド可能に配設されたスライドツマミ６と、スライドツマミ６と応動し、センサ１を押出するスライダー４ｂとからなる排出機構を備えたことで、実施の形態１による測定装置と同様の効果を奏することができる。
【００２９】
（実施の形態３）
図３は、本発明の実施の形態３による測定装置のセンサをコネクタに装着した取付け状態を示す正面図（ａ）、及び測定装置を示す斜視図（ｂ）である。
図３（ａ）において、１はセンサであり、４はコネクタであり、４ｃはコネクタ端子であり、５ｃはスライドレバーのセンサ排出用の突起部である。なお、図３において、実施の形態１による図１に示されるものと同様の機能、構成を有するものには同一の符号を付し、その説明を省略する。
【００３０】
コネクタ端子４ｃは、数本の電極であり、センサ１に点着された試料の測定を行うために、センサ１に接触するものである。このコネクタ端子４ｃは、コネクタ４内部に位置するスライドレバーの突起部５ｃがスライドしたときにも、その突起部５ｃに触れることのない位置にある。
【００３１】
なお、図３（ａ）において一点鎖線で示されるセンサ１の位置は、スライドツマミ６をスライドさせることによりセンサ１を排出したときの位置である。
【００３２】
図３（ｂ）を用いて、センサ１の排出動作について説明する。
まず、スライドツマミ６を図３（ｂ）の矢印の方向にスライドさせる。すると、測定装置本体２からセンサ１が排出される。
なお、図３（ｂ）ではスライドツマミ６をディスプレイ３０側の面に備えるようにしているが、スライドツマミ６を測定装置１０の底面側に備えてもよい。
【００３３】
このように、本実施の形態３による測定装置によれば、スライドツマミ６及びスライドレバーからなる排出機構によりセンサ１を排出するときに、スライドレバーの突起部５ｃがコネクタ端子４ｃに触れることなくセンサ１を押出することで、実施の形態１と同様の効果に加え、試料の測定時に用いられるコネクタ端子４ｃを突起部５ｃにより破損することなくセンサ１の排出を行うことができる効果が得られる。
【００３４】
なお、本実施の形態３では、実施の形態１によるスライドレバー５の突起部５ｃがコネクタ端子４ｃに触れることなくセンサ１を押出する場合について説明したが、実施の形態２によるスライダー４ｂがコネクタ端子４ｃに触れることなくセンサ１を押出するようにしてもよく、同様の効果が得られる。
【００３５】
また、上記各実施の形態において、スライドバー５、あるいはスライドツマミ６を、センサ１の排出の向きと逆向きに付勢する付勢部材として、樹脂バネを用いた場合について説明したが、この付勢部材として、ゴムや金属バネ等の弾性体を用いてもよい。ただし、付勢部材として樹脂バネやゴムなどを用いた場合には、金属音を発生させることなくスライドバー５、あるいはスライドツマミ６に付勢力を作用させることができる効果がある。
【００３６】
【発明の効果】
以上の説明から明らかなように、本発明による測定装置によれば、試料の点着されたセンサが装着され、該試料の測定を行う測定装置であって、前記測定装置が、装着された前記センサと接触する複数の電極端子を有するコネクタと、前記センサを前記測定装置から排出する排出機構と、を備え、前記排出機構が、前記測定装置に対してスライド可能に配設されたスライド部材と、前記スライド部材と応動し、前記センサの一端に当接して該センサを押出する押出部材と、を有し、前記押出部材が、前記コネクタ内において前記複数の電極端子の間の隙間をスライドして、前記電極端子に触れることなく前記センサを押出する構成としたので、指でセンサを測定装置から抜去することなくセンサを排出できるため、センサに直接触らなくてもセンサを廃棄することができる。つまり、センサに付着した試料に触ることなくセンサの廃棄を行うことができ、病気などの感染を防止することができる効果が得られる。また、スライド部材をスライドすることでセンサを排出できるので、容易にセンサを排出することができる効果が得られる。また、試料の測定時に用いられる電極端子を前記押出部材により破損することなくセンサの排出を行うことができる効果が得られる。
【００３９】
また、本発明による測定装置によれば、前記測定装置において、前記スライド部材、または前記押出部材を、前記排出機構による前記センサの排出の向きと逆向きに付勢する付勢部材をさらに備えたことで、センサの排出時に、前記スライド部材、または前記押出部材を、センサの排出の向きと逆向きに付勢することとなり、センサの排出を手動で慎重にコントロールすることができ、センサが勢いよく飛び出すことを防止することができ、センサに点着された試料が不用意なところに付着することを防止することができる。また、センサの排出後、前記スライド部材が前記付勢部材により元の位置に戻されるため、測定装置の操作が容易となる効果も得られる。
【図面の簡単な説明】
【図１】本発明の実施の形態１による測定装置を示す分解斜視図（ａ）、及び組立断面図（ｂ）である。
【図２】本発明の実施の形態２による測定装置を示す分解斜視図（ａ）、及び組立断面図（ｂ）である。
【図３】本発明の実施の形態３による測定装置のセンサをコネクタに装着した取付け状態を示す正面図（ａ）、及び測定装置を示す斜視図（ｂ）である。
【図４】従来の測定装置を示す模式図である。
【符号の説明】
１  センサ
２  測定装置本体
２ａ、５ａ  ボス
２ｂ  長孔
４、４０  コネクタ
４ａ、７ａ  切り欠き
４ｂ  スライダー
４ｃ  コネクタ端子
５  スライドレバー
５ｂ  角孔部
５ｃ  突起部
５ｄ、６ｄ  樹脂バネ
６  スライドツマミ
６ａ  爪
６ｃ  スライダー嵌合部
７  基板
１０、２０  測定装置
３０  ディスプレイ
【図１】
0003977619.tif 000002
【図２】
0003977619.tif 000003
【図３】
0003977619.tif 000004
【図４】
0003977619.tif 000005